(57)【要約】【課題】誤認識を抑制しつつ、他車を正確に検出することのできる他車検出装置を提供すること。【解決手段】ＥＣＵ（１２）の横速度算出部（１４）は、ミリ波レーダ（２）により複数の静止物の横速度ＶｘstatＮ及び縦方向距離ＤｙstatＮを取得し（Ｓ１）、当該各静止物の角速度θstatＮを算出し（Ｓ２）、さらに平均値θstatmeanを求め（Ｓ３）、当該平均値を自車角速度θegoとして設定する（Ｓ４）。また横速度算出部は、ミリ波レーダにより他車の横速度Ｖｘmo及び縦方向距離Ｄｙmoを取得し（Ｓ５）、自車角速度に基づき他車の補正横速度Ｖｘcorrectを算出して（Ｓ６）、当該補正横速度を用いて他車の横速度から真の横速度Ｖｘmotrueを算出する（Ｓ７）。【選択図】図２
2014089505.tif 000002
【特許請求の範囲】
【請求項１】
自車の前方を走行する他車を検出する他車検出装置であって、
前記自車の周囲にある物体を検知し、当該物体の自車に対する相対距離及び相対速度を検出する周辺物体検出手段と、
前記周辺物体検出手段により検出された物体のうち静止物について、当該静止物の相対距離における縦方向距離及び当該静止物の相対速度における横速度を特定し、当該静止物における縦方向距離に対する当該静止物の位置と当該静止物の横速度とから単位時間当たりの当該静止物の角速度を算出する静止物角速度算出手段と、
前記静止物角速度算出手段により算出された前記静止物の角速度に基づき自車の角速度を算出する自車角速度算出手段と、
前記周辺物体検出手段により検出された物体のうち移動物である他車について、当該他車の相対距離における縦方向距離及び当該他車の相対速度における横速度を特定し、前記自車角速度算出手段により算出された前記自車の角速度及び当該他車の縦方向距離から当該他車に対する補正横速度を算出し、当該補正横速度を用いて当該他車の横速度を補正して当該他車の真の横速度を算出する他車横速度算出手段と、
前記他車横速度算出手段により算出された前記他車の真の横速度を用いて当該他車の走行状態を推定する他車走行状態推定手段と、を備えたことを特徴とする他車検出装置。
【請求項２】
前記静止物角速度算出手段は、複数の静止物における前記角速度を算出し、
前記自車角速度算出手段は、前記複数の静止物における角速度を平均した角度を自車の角速度として算出することを特徴とする請求項１記載の他車検出装置。
【請求項３】
前記他車横速度算出手段は、前記複数の静止物における角速度の標準偏差を算出し、当該標準偏差に基づき角速度の誤差範囲を設定し、前記他車における縦方向距離に対する当該静止物の位置と当該静止物の横速度とから算出される単位時間当たりの当該他車の角速度が当該誤差範囲外である場合は、当該他車を検出対象から除外することを特徴とする請求項２記載の他車検出装置。
【請求項４】
前記他車横速度算出手段は、前記他車における縦方向距離に対する当該静止物の位置と当該静止物の横速度とから算出される単位時間当たりの当該他車の角速度に対する誤認識用の閾値を予め設定し、前記他車の角速度が当該誤認識用の閾値以上である場合は、当該他車を検出対象から除外することを特徴とする請求項１から３のいずれかに記載の他車検出装置。
【請求項５】
自車の前方を走行する他車を検出する他車検出装置であって、
前記自車の周囲にある物体を検出する周辺物体検出手段と、
前記周辺物体検出手段により検出された物体のうち静止物について、当該静止物の相対距離における縦方向距離及び当該静止物の相対速度における横速度を特定し、当該静止物における縦方向距離に対する当該静止物の位置と横速度から単位時間当たりの当該静止物の角速度を算出する静止物角速度算出手段と、
前記静止物角速度算出手段により算出された前記静止物の角速度に基づき自車の角速度を算出する自車角速度算出手段と、
を備えたことを特徴とする他車検出装置。
【発明の詳細な説明】
【技術分野】
【０００１】
本発明は、自車の前方を走行する他車を検出する他車検出装置に関する。
【背景技術】
【０００２】
近年、自車両（自車）前方の先行車両（他車）や障害物を検知して、当該先行車両に追従走行するいわゆるアダプティブクルーズコントロール（ＡＣＣ：Adaptive Cruise Control）や、先行車両等との衝突が予測される際に警告したり、自動的にブレーキを作動させる等して衝突を回避する緊急自動制動装置が開発されている。
【０００３】
このようなシステムでは、主にミリ波レーダやレーザレーダ等のレーダ装置やカメラ等のセンサを用いて先行車両等を検知し、当該先行車両等の動きや自車両との距離等を検出している。また、カーブ路を走行中等、自車両が旋回している際にも先行車両との位置関係を把握すべく、自車両のヨー角度を計測するジャイロセンサ（ヨーレートセンサ）を備えている。
【０００４】
しかし、ジャイロセンサなどヨー角度方向を計測するセンサにオフセット（ずれ）が生じた場合、そのオフセット分だけ先行車両の位置を誤って検出してしまい、各システムの誤動作を招くおそれがある。
そこで、ミリ波レーダにより検知した先行車両の横方向の位置データの動きを一定時間の間計測し、その変動が一定値以下である場合は、直線路走行中であると判断し、自車のヨー角度方向の値を中立点に算出する設定が知られている（特許文献１参照）。
【先行技術文献】
【特許文献】
【０００５】
【特許文献１】特開２００７−２８０１４４号公報
【発明の概要】
【発明が解決しようとする課題】
【０００６】
しかしながら、ジャイロセンサは上記特許文献１のように補正が必要な上、自車両が旋回しなければ自車のヨー角度を検出できず、またレーダ装置等の反応比べて自車の旋回に対して反応遅れも生じるという問題ある。
一方、ミリ波レーダ等のレーダ装置は、自車両の進行方向（縦方向）に対する動きに対しては比較的精度良く検出することができるが、横方向の動きに対する精度が比較的低く、旋回中の先行車両の位置や速度を正確に判別できない場合がある。また、レーダ装置は、例えば道路上方を跨ぐ標識や、料金所等の構造体を自車の走行経路上にある障害物と誤認識し、走行上の障害物なり得ない物体を障害物（いわゆるゴースト）として検出するという問題もある。
【０００７】
本発明はこのような問題を解決するためになされたもので、その目的とするところは、誤認識を抑制しつつ、他車を正確に検出することのできる他車検出装置を提供することにある。
【課題を解決するための手段】
【０００８】
上記した目的を達成するために、請求項１の他車検出装置では、自車の前方を走行する他車を検出する他車検出装置であって、前記自車の周囲にある物体を検知し、当該物体の自車に対する相対距離及び相対速度を検出する周辺物体検出手段と、前記周辺物体検出手段により検出された物体のうち静止物について、当該静止物の相対距離における縦方向距離及び当該静止物の相対速度における横速度を特定し、当該静止物における縦方向距離に対する当該静止物の位置と当該静止物の横速度とから単位時間当たりの当該静止物の角速度を算出する静止物角速度算出手段と、前記静止物角速度算出手段により算出された前記静止物の角速度に基づき自車の角速度を算出する自車角速度算出手段と、前記周辺物体検出手段により検出された物体のうち移動物である他車について、当該他車の相対距離における縦方向距離及び当該他車の相対速度における横速度を特定し、前記自車角速度算出手段により算出された前記自車の角速度及び当該他車の縦方向距離から当該他車に対する補正横速度を算出し、当該補正横速度を用いて当該他車の横速度を補正して当該他車の真の横速度を算出する他車横速度算出手段と、前記他車横速度算出手段により算出された前記他車の真の横速度を用いて当該他車の走行状態を推定する他車走行状態推定手段と、を備えたことを特徴としている。
【０００９】
請求項２の他車検出装置では、請求項１において、前記静止物角速度算出手段は、複数の静止物における前記角速度を算出し、前記自車角速度算出手段は、前記複数の静止物における角速度を平均した角度を自車の角速度として算出することを特徴としている。
請求項３の他車検出装置では、請求項２において、前記他車横速度算出手段は、前記複数の静止物における角速度の標準偏差を算出し、当該標準偏差に基づき角速度の誤差範囲を設定し、前記他車における縦方向距離に対する当該静止物の位置と当該静止物の横速度とから算出される単位時間当たりの当該他車の角速度が当該誤差範囲外である場合は、当該他車を検出対象から除外することを特徴としている。
【００１０】
請求項４の他車検出装置では、請求項１から３のいずれかにおいて、前記他車横速度算出手段は、前記他車における縦方向距離に対する当該静止物の位置と当該静止物の横速度とから算出される単位時間当たりの当該他車の角速度に対する誤認識用の閾値を予め設定し、前記他車の角速度が当該誤認識用の閾値以上である場合は、当該他車を検出対象から除外することを特徴としている。
【００１１】
請求項５の他車検出装置では、自車の前方を走行する他車を検出する他車検出装置であって、前記自車の周囲にある物体を検出する周辺物体検出手段と、前記周辺物体検出手段により検出された物体のうち静止物について、当該静止物の相対距離における縦方向距離及び当該静止物の相対速度における横速度を特定し、当該静止物における縦方向距離に対する当該静止物の位置と横速度から単位時間当たりの当該静止物の角速度を算出する静止物角速度算出手段と、前記静止物角速度算出手段により算出された前記静止物の角速度に基づき自車の角速度を算出する自車角速度算出手段と、を備えたことを特徴としている。
【発明の効果】
【００１２】
上記手段を用いる本発明の請求項１の他車検出装置によれば、周辺物体検出手段により検出される自車の周囲にある静止物の縦方向距離と横速度とから静止物角速度を算出し、この静止物角速度から自車の角速度を算出する。そして、当該自車の角速度から他車に対する補正横速度を算出し、当該補正横速度を用いて周辺物体検出手段により検出される他車の横速度を補正して当該他車の真の横速度を算出し、当該真の横速度に基づいて当該他車の走行状態を推定することとする。
【００１３】
このように、ジャイロセンサ（ヨーレートセンサ）等のヨー角度を直接検出するセンサ等を用いることなく、周辺物体検出手段により検出される静止物から自車の角速度を算出することで、自車の旋回運動に応じた他車の真の横速度を算出することができる。周辺物体検出手段に基づく情報のみで他車の真の横速度まで算出することから、ジャイロセンサよりも応答が速く、且つ精度良く他車の真の横速度を算出することができる。
【００１４】
また、周辺物体検出手段により検出された静止物の相対距離及び相対速度を基準に他車の真の横速度を算出することから、周辺物体検出手段の取付位置のずれ等の影響を受けることなく、他車の真の横速度を算出することができる。  これらのことから、誤認識を抑制しつつ、他車を正確に検出することができる。
請求項２の他車検出装置によれば、複数の静止物における角速度を算出し、これらの角速度の平均した角度を自車の角速度として算出することとする。これにより、自車の角速度を正確に算出することができ、ひいてはより正確に他車の真の横速度を算出することができる。
【００１５】
請求項３の他車検出装置によれば、静止物の角速度の標準偏差に基づき角速度の誤差範囲を設定し、他車の角速度が当該誤差範囲外である場合は、当該他車を検出対象から除外することとしている。このように基準から極端に外れた角速度である他車を除外することで、周辺物体検出手段による他車の誤認識を抑制することができる。
【００１６】
請求項４の他車検出装置によれば、他車の角速度に対して予め誤認識用の閾値を設定しておき、他車の角速度が当該誤認識用の閾値以上である場合は、当該他車を検出対象から除外することとしている。このように基準から極端に外れた角速度である他車を除外することで、周辺物体検出手段による他車の誤認識を十分に抑制することができる。
【００１７】
請求項５の他車検出装置によれば、周辺物体検出手段により検出される自車の周囲にある静止物の縦方向距離と横速度とから静止物角速度を算出し、この静止物角速度から自車の角速度を算出する。これにより、ジャイロセンサ（ヨーレートセンサ）等のヨー角度を直接検出するセンサ等を用いることなく、周辺物体検出手段により検出される静止物から自車の角速度を正確に取得することができ、ひいては他車との位置関係を精度良く算出することができる。
【図面の簡単な説明】
【００１８】
【図１】本発明の実施形態に係る他車検出装置を有する緊急自動制動装置の概略構成を表したブロック図である。
【図２】ＥＣＵの横速度算出部において実行される他車の真の横速度算出制御ルーチンを示すフローチャートである。
【図３】他車の真の横速度の算出方法についての説明図である。
【図４】ミリ波レーダの取付位置にずれがある場合の説明図である。
【図５】本実施形態の変形例として横速度算出部において実行される他車の誤認識検出制御ルーチンを示したフローチャートである。
【発明を実施するための形態】
【００１９】
以下、本発明の実施の形態を図面に基づき説明する。
図１は、本発明の実施形態に係る他車検出装置を有する緊急自動制動装置の概略構成を表したブロック図であり、以下、同図に基づき本実施形態の構成について説明する。
図１に示す本実施形態に係る他車検出装置は車両の緊急自動制動装置に用いられるものであり、当該緊急自動制動装置は、主として、ミリ波レーダ２（周辺物体検出手段）、車速センサ４、警告灯６、警報器８、ブレーキ装置１０、及び緊急自動制動装置用の電子コントロールユニット（以下、単にＥＣＵという）１２から構成されている。
【００２０】
ミリ波レーダ２は、自車の車体前部中央位置に設置され、ミリ波帯の電波を用いて自車の周囲にある物体を検知し、当該物体の自車に対する相対距離及び相対速度を検出するものである。なお、この他車の車速には前後方向及び横方向の車速が含まれている。
車速センサ４は自車の車軸の回転数から車速を検出するものである。
【００２１】
警告灯８及び警報器１０は自車の運転席に設けられており、警告灯８は点灯することにより、警報器１０は警報音又は音声により、それぞれ乗員への注意喚起を行うものである。
ブレーキ装置１０は、自車の各タイヤに設けられており、制動力を発生させるものである。
【００２２】
ＥＣＵ１２は、入出力装置、記憶装置（ＲＯＭ、ＲＡＭ、不揮発性ＲＡＭ等）及び中央演算処理装置（ＣＰＵ）等を含んで構成されている。当該ＥＣＵ１２の入力側には、ミリ波レーダ２、及び車速センサ４等のセンサ類が電気的に接続されており、これら各種センサ類により検出された各検出情報が入力される。そして、ＥＣＵ１２はこれらの各検出情報に基づき、出力側に接続された警告灯６、警報器８、及びブレーキ装置１０等の各種装置の制御を行うものである。
【００２３】
詳しくは、ＥＣＵ１２は図１に示すように、横速度算出部１４、走行軌跡推定部１６（他車走行状態推定手段）、衝突予測制御部１８から構成されている。なお、以下の説明において、横方向とは自車の幅方向に沿った方向、縦方向とは自車の進行方向に沿った方向とし、横速度とは相対速度における横方向成分の速度をいい、縦方向距離とは縦方向成分の距離をいう。
【００２４】
ミリ波レーダ２により検出される自車の周囲の物体情報は、横速度算出部１４及び走行軌跡推定部１６に入力され、車速センサ４により検出される自車の車速情報は走行軌跡推定部１６に入力される。
横速度算出部１４については、詳しくは後述するが、ミリ波レーダ２により検出された物体情報から自車の前方を走行する他車の真の横速度を算出し、当該真の横速度情報を走行軌跡推定部１６に出力するものである。また、当該横速度算出部１４では、ミリ波レーダ２により検出された静止物の横速度や、自車の横速度に関する情報も算出され、これらの情報も走行軌跡推定部１６へ出力される。
【００２５】
走行軌跡推定部１６は、入力された他車の真の横速度と、ミリ波レーダ２からの情報より得られる当該他車の縦速度及び相対距離から他車の走行軌跡を推定するものである。また当該走行軌跡推定部１６は、自車の車速及び進行方向等から自車の走行軌跡も推定する。これら自車及び他車の走行軌跡情報は衝突予測制御部１８に入力される。
【００２６】
衝突予測制御部１８は、入力された自車及び他車の走行軌跡情報から自車と他車とが衝突するまでの衝突予測距離又は衝突予測時間を算出し、衝突の可能性の度合いに応じて、警告灯６、警報器８、及びブレーキ装置１０を制御する。例えば衝突予測距離が近づく毎に警告灯８の点灯及び警報器１０による警報の開始、ブレーキ装置１０により比較的弱い制動力を作用させる緩制動、ブレーキ装置１０により比較的強い制動力を作用させる緊急制動等を行い、他車との衝突を回避するための制御を行う。
【００２７】
このように構成されたＥＣＵ１２において、横速度算出部１４は、静止物検出部２０（静止物角速度算出手段）、静止物角速度算出部２２（静止物角速度算出手段）、自車角速度算出部２４（自車角速度算出手段）、他車検出部２６（他車横速度算出手段）、他車横速度算出部２８（他車横速度算出手段）を有している。
【００２８】
静止物検出部２０は、ミリ波レーダ２により検出された物体のうち、１又は複数（例えばＮ個）の建築物、標識、ガードレール等の静止物ＰstatＮを選択し、当該静止物ＰstatＮの自車との相対距離における縦方向距離ＤｙstatＮ及び自車との相対速度における横速度ＶｘstatＮを特定するものである。そして、静止物検出部２０は、これら静止物ＰstatＮの各情報を静止物角速度算出部２２に出力する。
【００２９】
静止物角速度算出部２２は、入力された各静止物の横速度ＶｘstatＮと縦方向距離ＤｙstatＮとから、単位時間当たりの各静止物の角速度（ヨーレート）である静止物角速度θstatＮを算出するものである。そして、静止物角速度算出部２２は、算出した静止物角速度θstatＮを自車角速度算出部２４に出力する。
自車角速度算出部２４は、まず入力された各静止物の角速度θstatＮの平均値θstatmeanを算出するものである。さらに、自車角速度算出部２４は、この平均値θstatmeanを自車における角速度θegoとして設定するものである。なお、ミリ波レーダ２により検出された静止物が１つである場合は、入力された角速度θstatをそのまま自車角速度θegoとして設定する。そして、自車角速度算出部２４は自車角速度θegoを他車横速度算出部２８に出力する。
【００３０】
一方、他車検出部２６は、ミリ波レーダ２により検出された物体のうち、移動物である他車Ｐmoを検出し、当該他車Ｐmoの自車との相対距離における縦方向距離Ｄｙmo及び自車との相対速度における横速度Ｖｘmoを特定するものである。なお、当該他車検出部２６は、他車が複数存在する場合には、各他車毎の縦方向距離Ｄｙmo及び横速度Ｖｘmoを特定する。そして、当該他車検出部２６は、これら他車Ｐmoの各情報を他車横速度算出部２８に出力する。
【００３１】
他車横速度算出部２８は、他車検出部２６から出力された他車の縦方向距離ＤｙstatＮと、自車角速度算出部２４から出力された自車角速度θegoとに基づき他車の補正横速度Ｖｘcorrectを算出するものである。さらに、他車横速度算出部２８は、算出した補正横速度Ｖｘcorrectを用いて、他車検出部２６から出力された他車の横速度Ｖｘmoを補正して他車の真の横速度Ｖｘmotrueを算出するものである。そして、当該他車横速度算出部２８は、算出した他車の真の横速度Ｖｘmotrue情報を上記走行軌跡推定部１６に出力する。
【００３２】
以下、このように構成されたＥＣＵ１２の横速度算出部１４において実行される他車の真の横速度算出制御について、詳しく説明する。
図２はＥＣＵ１２の横速度算出部１４において実行される他車の真の横速度算出制御ルーチンを示すフローチャートであり、図３は他車の真の横速度の算出方法についての説明図であり、以下図３の具体例を参照しつつ図２のフローチャートに沿って他車の真の横速度の算出手順について説明する。
【００３３】
なお、図３では、自車はカーブ路を走行中であり、自車はカーブ路に沿って前方に進行しているとともに旋回運動をしている。ミリ波レーダ２は自車の進行方向を中心に自車前方の周辺の物体を検出している。
ＥＣＵ１２は、衝突予測制御を行う際、横速度算出部１４の静止物検出部２０において、図２のステップＳ１に示すように、ミリ波レーダ２から静止物の横速度ＶｘstatＮ及び縦方向距離ＤｙstatＮ情報を取得する。例えば図３に示す具体例の場合、自車はミリ波レーダ２により検出された物体のうち、３つの静止物Ｐstat１、Ｐstat２、Ｐstat３を選択する。自車は旋回運動をしていることから、各静止物は自車の旋回運動に応じて横速度が生じており、静止物検出部２０はこれら各静止物の横速度Ｖｘstat１、Ｖｘstat２、Ｖｘstat３及び縦方向距離Ｄｙstat１、Ｄｙstat２、Ｄｙstat３の情報を取得する。
【００３４】
続いて図２のステップＳ２においては、静止物角速度算出部２２が下記式（１）に基づき単位時間当たりの各静止物の角速度θstatＮを算出する。
θstatＮ＝ｔａｎ-1（ＶｘstatＮ×ｔ／ＤｙstatＮ）・・・（１）
単位時間をｔ＝１とすると、静止物の角速度θstatＮは図３に示すように、各静止物における縦方向距離Ｖｘstat１〜３と横速度Ｄｙstat１〜３とで直角をなす直角三角形の斜辺（鎖線）と縦方向距離Ｖｘstat１〜３との間の角度に相当する。
【００３５】
次に図２のステップＳ３においては、自車角速度算出部２４が各静止物の角速度θstatＮの平均値θstatmeanを算出する。つまり、自車に対する静止物の位置関係やミリ波レーダ２の精度等に応じて各静止物の検出値にはばらつきがあることから、各静止物の角速度θstatＮを平均することでばらつきの影響を抑えることとしている。図３の場合であれば、θstatmean＝（θstat１＋θstat２＋θstat３）／３となる。
【００３６】
また、図２のステップＳ４においては、自車角速度算出部２４がステップＳ３において算出した平均値θstatmeanを自車角速度θegoとして設定する。静止物の横速度は自車の旋回運動に対応していることから、静止物角速度の平均値を自車角速度とすることで、自車の旋回度合い、即ちヨーレートに相当する値が算出されることとなる。なお、単位時間をｔ＝１ｓｅｃとすると単位時間当たりのヨー角度は自車角速度θego×時間（ｔ＝１）＝θegoとなる。
【００３７】
続く図２のステップＳ５においては、他車検出部２６が、ミリ波レーダ２から他車の横速度Ｖｘmo及び縦方向距離Ｄｙmo情報を取得する。図３においては、他車は自車の前方において自車と同じカーブ路を走行している。他車検出部２６はミリ波レーダ２により検出された物体のうち、移動体である当該他車Ｐmoを特定し、当該他車の横速度Ｖｘmo及び縦方向距離Ｄｙmoの情報を取得する。
【００３８】
図２のステップＳ６においては、他車横速度算出部２８が、ステップＳ４において算出した自車角速度θego及びステップＳ５において取得した他車の縦方向距離Ｄｙmoに基づき、下記式（２）により、他車の補正横速度Ｖｘcorrectを算出する。
Ｖｘcorrect＝Ｄｙmoｔａｎ（θego）・・・（２）
【００３９】
そして、ステップＳ７において、他車横速度算出部２８が、ミリ波レーダ２により検出された他車の横速度Ｖｘmoから補正横速度Ｖｘcorrectを減算することで（Ｖｘmotrue＝Ｖｘmo−Ｖｘcorrect）、他車の真の横速度Ｖｘmotrueを算出する。
これは図３に示すように、ミリ波レーダ２により検出される他車の横速度Ｖｘmoは、自車の旋回に基づく横速度の影響を受けた値であることから、他車の位置Ｐmoにおいて自車の旋回に起因する横速度成分である補正横速度Ｖｘcorrectを排除することで他車の真の横速度Ｖｘmotrue（白抜矢印）を算出するものである。
【００４０】
ＥＣＵ１２の横速度算出部１４は、上記ステップＳ７において算出された他車の真の横速度Ｖｘmotrue情報を走行軌跡推定部１６に出力した後、当該制御ルーチンをリターンして上記ステップＳ１〜Ｓ７を繰り返す。
ＥＣＵ１２はこのように横速度算出部１４において算出された他車の真の横速度Ｖｘmotrueに基づいて他車の走行軌跡を推定することで、より正確に当該他車の走行軌跡を推定し、他車との衝突を予測することができる。
【００４１】
以上のように、ジャイロセンサ（ヨーレートセンサ）等のヨー角度を直接検出するセンサ等を用いることなく、ミリ波レーダ２により検出される静止物から自車の角速度θegoを算出することで、自車の旋回運動に応じた他車の真の横速度Ｖｘmotrueを算出することができる。ミリ波レーダ２に基づく情報のみで他車の真の横速度Ｖｘmotrueまで算出することから、ジャイロセンサよりも応答が速く、且つ精度良く他車の真の横速度Ｖｘmotrueを算出することができる。
【００４２】
また、本実施形態では、複数の静止物の角速度θstatＮの平均を求め、当該平均値θstatmeanを自車の角速度θegoとして設定していることで、ばらつきの少ない高い精度の自車の角速度θegoを算出することができ、ひいてはより正確に他車の真の横速度ｘmotrueを算出することができる。
さらに、ミリ波レーダ２により検出された静止物の相対距離及び相対速度を基準に他車の真の横速度Ｖｘmotrueを算出することから、ミリ波レーダ２の取付位置のずれ等の影響を受けることなく、他車の真の横速度を算出することができる。
【００４３】
例えば図４には、ミリ波レーダの取付位置にずれがある場合の説明図が示されている。同図では、ミリ波レーダ２の取付角度等の関係からミリ波レーダ２の電波照射中心方向（ｙ軸方向）（以下、レーダ中心という）が自車の進行方向（ｙego軸方向）よりも左側にずれている。なお、当該図５では自車は旋回運動をしておらず、直進しているものとする。自車が直進している場合、本来、静止物Ｐstat１〜３は自車に対して、自車の進行方向と平行に相対移動するのみで横速度は生じない。しかし、図５に示すようにミリ波レーダ２のレーダ中心がずれていると自車が直進しているにも関わらず、各静止物の横速度θstat１〜３が検出されることとなる。
【００４４】
しかし、本実施形態におけるＥＣＵ１２の横速度算出部１４は、静止物の角速度θstatＮの平均値θstatmeanを自車角速度θegoとして設定しており、当該自車角速度θegoがレーダ中心と自車の進行方向とのずれの角度に相当することなる。そして、当該自車角速度θegoにより算出される補正横速度Ｖｘcorrectにより他車の横速度Ｖｘmoを補正することで、レーダ中心のずれが補正され他車の真の横速度Ｖｘmotrue（白抜矢印）が算出されることとなる。なお、レーダ中心のずれにより縦方向の距離や横速度の方向にも多少のずれが生じるが、ミリ波レーダ２等のレーダ装置は通常縦方向の計測精度は横方向に比べて優れており、横速度の方向のずれも微少であり、影響は少ない。
【００４５】
このように、本実施形態に係る他車検出装置によれば、ミリ波レーダ２のずれも許容することができる。以上のことから、本実施形態に係る他車検出装置は、誤認識を抑制しつつ、他車を正確に検出することができる。
以上で発明の実施形態の説明を終えるが、本発明は上記実施形態に下記変形例に示す要素を追加してもよい。
【００４６】
当該変形例は、上記ＥＣＵ１２の横速度算出部１４における他車横速度算出部２８において、他車の誤認識検出制御を行うこととする。
詳しくは図５に横速度算出部１４において実行される他車の誤認識検出制御ルーチンを示したフローチャートが示されており、以下同フローチャートに沿って他車の誤認識検出制御について説明する。
【００４７】
当該他車の誤認識検出制御は、図２で示したフローチャートのステップＳ７における他車の真の横速度Ｖｘmotrueの算出後に行われる。
まず、ＥＣＵ１２は他車横速度算出部２８において、図５のステップＳ２０として、下記式（３）のように標準偏差に基づき自車角速度の誤差範囲εを算出する。
【００４８】
ε＝θego±ｎσ・・・（３）
当該式（３）のσは各静止物の角速度の平均値θstatmeanにおける標準偏差であり、要求する精度に応じてｎを任意の数（例えばｎ＝３）に設定することで、自車角速度θegoから±ｎσの範囲の誤差範囲εを設定することとなる。
【００４９】
次にステップＳ２１においては、他車横速度算出部２８が、静止物の角速度と同様に、下記式（４）により、他車の角速度θmoを算出する。
θmo＝ｔａｎ-1（Ｖｘmo／Ｄｙmo）・・・（４）
また、ステップＳ２２においては他車横速度算出部２８が、他車の角速度θmoが誤差範囲内であるか否か（ε-＜θmo＜ε+）を判別する。当該判別結果が真（Ｙｅｓ）である場合、即ち他車の角速度θmoが誤差範囲内である場合は、次のステップＳ２３に進む。
【００５０】
ステップＳ２３では、他車横速度算出部２８に予めミリ波レーダ２による物体の誤認識、いわゆるゴーストに関する判定閾値εghostが記憶されており、当該他車横速度算出部２８は、角速度θmoの絶対値が当該判定閾値εghostより小であるか否かを判別することで、ミリ波レーダ２により検出された他車がゴーストであるか否かを判別する。なお、当該判定閾値εghostは、｜εghost｜＞｜ｎσ｜の関係にある。
【００５１】
上記ステップＳ２２及びステップＳ２３の判別結果のいずれかが偽（Ｎｏ）である場合、即ち他車の角速度θmoが誤差範囲外又はゴースト判定閾値以上である場合には、ステップＳ２４に進む。
ステップＳ２４では、ミリ波レーダ２により検出された他車は誤認識であると判断して、上記図２のステップＳ７で算出した他車の真の横速度Ｖｘmotrueを無効（Ｖｘmotrue＝０）とすることで、当該他車を検出対象から除外する。
【００５２】
一方、ステップＳ２３の判別結果が真（Ｙｅｓ）である場合、即ち他車の角速度θmoの絶対値がゴースト判定閾値εghostより小である場合には、ステップＳ２５に進む。
ステップＳ２５において、他車横速度算出部２８は、上記図２のステップＳ７で算出した他車の真の横速度Ｖｘmotrueは有効であるものとして、当該真の横速度Ｖｘmotrueを走行軌跡推定部１６に出力する。
【００５３】
上記ステップＳ２４、Ｓ２５の処理後は上記図２のステップＳ１にリターンする。
以上のように、当該変形例では、複数の静止物角速度θstatＮを利用して標準偏差σを求め、当該標準偏差σに基づき誤差範囲εを算出してミリ波レーダ２により検出された他車の角速度θmoのばらつきを除外する。さらに、ゴースト判定閾値εghostによりゴーストと判断できる他車を除外する。このように基準から極端に外れた角速度である他車を除外することで、ミリ波レーダ２による他車の誤認識をより十分に抑制することができる。
【００５４】
さらに、本発明の形態は上記実施形態及び変形例に限定されるものではない。
例えば、本実施形態は、ミリ波レーダ２を用いて自車周囲の物体を検出しているが、これに限定するものではなく、レーザレーダや超音波レーダ等の自車に対する他車の位置関係を検出できるものであれば、他のレーダ装置を用いてもよい。
【００５５】
また、上記実施形態では、他車との衝突の可能性がある場合に、ブレーキ装置１０を作動させることにより車両を減速させ衝突の回避及び被害を軽減するようにしているが、ブレーキ装置１０の代わり或いはこれと一緒に衝突時に乗員のシートベルトを巻き取るシートベルトプリテンショナを備えてもよく、このシートベルトプリテンショナを制御することにより乗員を保護することもできる。さらに、アクセルやステアリング等の他の装置も用いて自車と他車との衝突を回避するよう自車の走行を制御しても構わない。
【符号の説明】
【００５６】
２  ミリ波レーダ（周辺物体検出手段）
４  車速センサ
６  警告灯
８  警報器
１０  ブレーキ装置
１２  ＥＣＵ
１４  横速度算出部
１６  走行軌跡推定部（他車走行状態推定手段）
１８  衝突予測制御部
２０  静止物検出部
２２  静止物角速度算出部（静止物角速度算出手段）
２４  自車角速度算出部（自車角速度算出手段）
２６  他車検出部
２８  他車横速度算出部（他車横速度算出手段）
【図１】
2014089505.tif 000003
【図２】
2014089505.tif 000004
【図３】
2014089505.tif 000005
【図４】
2014089505.tif 000006
【図５】
2014089505.tif 000007